(57)【特許請求の範囲】
【請求項１】
本体と、ランプのソケットと、前記本体に固定され該ソケットを支持する支持板と、前記ソケットを露出する穴を有し該支持板に固定される反射板と、電装部品と、電源端子台とを有する照明器具のリニューアルに用いられる照明器具リニューアルキットであって、
コネクタ付コード部を備えた、対向して前記ランプを保持する２つのソケットと、対向する前記２つのソケットを所定の間隔で保持し、前記本体と前記反射板との間に設けられ、前記反射板の裏面に取り付け可能な間隔保持板と、を備える灯具を含む照明器具リニューアルキット。
【請求項２】
コネクタ付コード部を備えた電装部品及び電源端子台と、該電装部品及び電源端子台が固定された前記本体に取り付け可能な台座と、を備えるユニット部をさらに含む、請求項１に記載の照明器具リニューアルキット。
【請求項３】
前記間隔保持板は長尺板であって長手方向に関して分割された複数の部材から構成され
ていることを特徴とする請求項１又は２に記載の照明器具リニューアルキット。
【請求項４】
本体と、ランプのソケットと、前記本体に固定され該ソケットを支持する支持板と、前記ソケットを露出する穴を有し該支持板に固定される反射板と、電装部品と、電源端子台とを有する照明器具のリニューアル方法であって、
コネクタ付コード部を備えた電装部品及び電源端子台と、該電装部品及び電源端子台が固定された前記本体に取り付け可能な台座と、からなるユニット部を含み、かつ、
コネクタ付コード部を備えた、対向して前記ランプを保持する２つのソケットと、対向する前記２つのソケットを所定の間隔で保持し、前記本体と前記反射板との間に設けられ、前記反射板の裏面に取り付け可能な間隔保持板と、からなる灯具を含む照明器具リニューアルキットを準備し、
前記照明器具の前記本体及び前記反射板はそのまま使用し、
前記照明器具の前記電装部品及び前記電源端子台をリニューアルする場合には前記ユニット部を使用し
前記照明器具の前記ソケットをリニューアルする場合には前記灯具を使用するリニューアル方法。
【請求項５】
長尺板であって長手方向に関して分割された複数の部材から構成される前記間隔保持板が用意され、当該複数の部材は前記照明器具の前記ソケットをリニューアルするときに一体化されることを特徴とする請求項４に記載の照明器具のリニューアル方法。
【発明の詳細な説明】
【技術分野】
【０００１】
本発明は、寿命が来た照明器具を新しいものに交換するときに使用できる照明器具リニューアルキット、及び、これを用いたリニューアル方法に関する。
【背景技術】
【０００２】
従来、寿命が来た照明器具は新しいものに交換することが一般的であった。ところが、サスティナビリティーやゼロエミッションが叫ばれる近年では、使える部材は極力再利用される傾向が強くなってきた。
【０００３】
屋内用一般照明器具で有寿命部品と言われる部品は、安定器、ソケット、端子台、リード線などの電装部品に集中しており、鋼板で作られている本体、反射板は今後も使用できるケースが多々ある。
【０００４】
しかし、本体、反射板ともにソケットなどの部材の寸法や取付方法に合わせた形で作られているため、同じ部材が調達できないと、せっかく再利用できる本体、反射板も無駄になってしまうケースが多い。
【０００５】
上記屋内用照明器具の一般的な構成は特許文献を挙げるまでもないが、一例として直管型ランプ用照明器具の構成を図６に示す。
【０００６】
図６（ａ）はランプと直交する方向での照明器具断面図、図６（ｂ）はランプの長手方向での照明器具断面図である。これらの図に示すように、照明器具は室内天井面に埋め込む本体１を有し、本体１は凹状に形成されている。本体１の底面には安定器、端子台などの電装部品２が取り付けられている。さらに本体１の長手方向両端の側面にはソケット３を支持する支持板４が固定され、この支持板４に反射板５がねじ等で固定可能になっている。反射板４が支持板３に固定されたとき、本体１の底面の電装部品２は反射板４によって隠れ、ソケット３のみが露出する。そのため、反射板５にはソケット３を貫通させるための穴５ａが設けられている。
【０００７】
尚、特許文献１、２、３に、リニューアルキットを使用した照明器具のリニューアル方法であって、照明器具の本体及び反射板は既設の照明器具のものを用いる方法が示されている。
【特許文献１】特開２００３−２８８８０３号公報
【特許文献２】特開平０７−０３７４１８号公報
【特許文献３】特開平０８−１８０７２６号公報
【発明の開示】
【発明が解決しようとする課題】
【０００８】
特許文献１、２、３に開示された方法は、安定器、ソケット、及び端子台を全部同時に更新するものである。したがって、寿命の一番早い部品に合わせて他の部品も交換されるという課題がある。
【０００９】
本発明は、上記背景技術で述べた課題を解決できる照明器具リニューアルキットを提供することを目的とする。その目的の一例は、屋内用一般照明器具の本体及び反射板を再利用して照明器具を効率良くリニューアルすることができる照明器具リニューアルキットを提供することにある。
【課題を解決するための手段】
【００１０】
本発明は、次の構成要素を有する照明器具のリニューアルに用いられる。すなわち、リニューアルされる照明器具は、本体と、ランプのソケットと、本体に固定され該ソケットを支持する支持板と、ソケットを露出する穴を有し該支持板に固定される反射板と、電装部品と、電源端子台とを有する。
【００１１】
こうした照明器具に用いられる本発明のリニューアルキットは灯具を含むものであり、ユニット部をさらに含んでもよい。ユニット部は、コネクタ付コード部を備えた電装部品及び電源端子台と、該電装部品及び電源端子台が固定された、本体に取り付け可能な台座とからなる。灯具は、コネクタ付コード部を備えた、対向して前記ランプを保持する２つのソケットと、対向する前記２つのソケットを所定の間隔で保持し、前記本体と前記反射板との間に設けられ、反射板の裏面に取り付け可能な間隔保持板とからなる。
【００１２】
また本発明は、上記した照明器具のリニューアル方法であって、上記の照明器具リニューアルキットを準備し、上記の照明器具の本体及び反射板はそのまま使用し、上記の照明器具の電装部品及び電源端子台をリニューアルする場合には上記のユニット部を使用する方法を提供する。さらに、上記の照明器具のソケットをリニューアルする場合には上記の灯具を使用する手順も含まれる。
【発明の効果】
【００１３】
本発明によれば、照明器具の本体及び反射板を再利用して照明器具を効率良くリニューアルすることができる。
【発明を実施するための最良の形態】
【００１４】
以下、本発明の実施例について図面を参照して説明する。但し、図６に示した背景技術の照明器具に使われている部品と同じものには同一符号を用いて説明する。
【００１５】
図1は本発明のリニューアルキットを施工した照明器具を示しており、（ａ）はランプと直交する方向での照明器具断面図、（ｂ）はランプの長手方向での照明器具断面図である。
【００１６】
本例の照明器具は図６に示した構成と同じものとした。この照明器具に施工したリニューアルキットは、灯具１１とユニット部１４という２つのユニットを含む。
【００１７】
灯具１１は、２つのソケット３と、両ソケット３の間隔を保持するようにソケット３が固定される間隔保持板１２と、各ソケット３に電源を供給する配線コード（不図示）とからなる。
【００１８】
ユニット部１４は電源を受ける端子台と、インバータ安定器と、この安定器を通った電源を供給する配線コード（不図示）とからなる。
【００１９】
灯具１１及びユニット部１４の配線コードの先にはコネクタ１８が取り付けられており、ワンタッチで両者の配線接続が可能である。
【００２０】
図２は灯具１１の詳細な構成図であり、（ａ）は灯具１１の側面図、（ｂ）は灯具１１の端面図、（ｃ）は灯具１１の構成部品である間隔保持板１２の平面図、（ｄ）は間隔保持板１２の一部拡大図を示している。
【００２１】
この図に示すように、灯具１１は間隔保持板１２にソケット３が取り付けられている構造だが、ソケット３を取り付けるためのソケット取付用穴１２ａが間隔保持板１２の両端部に開けられている。両端部のソケット取付用穴１２ａの位置によってソケット３の間隔が決まる。
【００２２】
ソケット取付用穴１２ａは図２（ｄ）に示される形状に限定されず、あらゆる種類のソケットを取り付けられる形状になっていればよい。またソケット取付用穴１２ａの開口縁周辺にガイド爪やリブ等が設けられていてもよい（図５参照）。
【００２３】
間隔保持板１２は、照明器具のリニューアルの際に反射板５の穴５ａを通ってソケット３が露出するようにして、反射板５の裏面（ランプとは反対側の面）に両面テープ１３等で貼り付け固定されるものである。そのため、間隔保持板１２の厚みは例えば１．２ｍｍと薄く、いろいろな種類の照明器具への取り付けに対応できるよう考慮されている。また、支持板４に反射板５を固定する際のネジ入れを邪魔しないよう、間隔保持板１２には、当該ネジを通すネジ通し穴１２ｂが設けられている。
【００２４】
図３はユニット部１３の詳細な構成図であり、（ａ）はユニット部１３の端面図、（ｂ）はユニット部１３の側面図を示している。
【００２５】
この図に示すようにユニット部１３は、端子台１６及び安定器１７を実装した台座１５を備えている。この台座１５は両端の計２箇所にビス通し穴を有する。そのためユニット部１３は、台座１５を本体１の空きスペースに配置し、電動ドライバーで本体１にビス止めするだけという簡単な取付け構造であると共に、この取り付けでアースも同時に確保できる。
【００２６】
次に、本実施例のリニューアルキットを用いての工事手順を説明する。
【００２７】
手順１
まず、照明器具の電源を切って本体１からランプ１９を外す。それから、本体１から反射板５を外す。これは、図６に示される支持板４に反射板５を固定するためのネジ２０を緩めれば外すことができる。さらに、寿命の来たソケット３から配線コードを外すとともに、本体１に固定されている支持板４からソケット３を取り外す。このとき、本体１に固定されている電装部品２である安定器にも寿命が来ているならば、端子台から電源ケーブルを外して安定器も本体１から取り外す。
【００２８】
手順２
さらに、反射板５に灯具１１を固定する。このとき、反射板５の穴５ａを通って灯具１１のソケット３が露出するように、反射板５の裏面に間隔保持板１２を粘着剤や両面テープ１３等で貼り付ける（図１（ｂ）参照）。また、手順１において電装部品２である安定器も取り外した場合は、本体１の空きスペースにユニット部１４を取り付ける（図１（ａ）参照）。このとき、ユニット部１４の台座１５を利用して本体１にビス止めした後、電源ケーブルをユニット部１４の端子台１６に差し込む。一方、既設の安定器を未だ使用する場合は、灯具１１のソケット３に、既設の安定器に繋がる配線コードを接続する。
【００２９】
手順３
しかる後、灯具１１とユニット部１４の配線コード同士をコネクタ１８で接続する。そして、灯具１１が固定された反射板５を、支持板４にネジ２０で固定し、リニューアル工事が完了する。
【００３０】
以上説明したような本発明のリニューアルキットは、灯具１１とユニット部１４という２つのユニットに分けてあるので、ソケットと安定器の各寿命に合わせて効率良くリニューアルすることできる。そして、部品のロットアップにより従来リニューアル不可能な旧型照明器具（現在、このようなケースでは照明器具をまるまる交換して対応）がリニューアル可能になる。また、自社製商品だけでなく、他社の商品も取り付け可能になる。また、ユニット化されているので施工性が良く、短時間で照明器具のリニューアルが完了できる。これらの事により、費用の削減、産業廃棄物の削減にも効果があり、環境にやさしいリニューアル工事が実施できる。
【００３１】
次に、その他の実施例について述べる。
【００３２】
上記のようなリニューアルキットの灯具１１を構成する間隔保持板１２は、長尺になればなるほど取り扱いが難しく、強度的に弱く変形する、梱包寸法が大きいため宅配便で扱えない、等という問題が懸念される。
【００３３】
そこで、図２（ｃ）に示されるような間隔保持板１２を分割された複数の部材から構成し、それらの部材同士を施工時に一体化するという変形例が考えられる。
【００３４】
図４に、この変形実施例による間隔保持板１２を構成する複数の部材を示す平面図を、図５にそれらの部材同士を一体化するときの様子を示す。
【００３５】
図４の例では間隔保持板１２は、分割された二つの部材P，Qから構成されており、部材P，Q同士は結合可能となっている。具体的には、図５に示すように、部材Ｐの端部には凸板状の雄部２１が突出形成されている。部材Ｐの雄部２１と結合する部材Ｑの端部には、雄部２１が挿入される雌部２２が形成されている。
【００３６】
雌部２２は図５（ｄ）（即ち図５（ａ）のＸ−Ｘ断面）に示すように、部材Ｑに平行な切り込みを入れてから該切れ込みに挟まれた面を隆起させて形成された、凸板状の雄部２１を通し入れるループである。図５の（ａ）から（ｃ）に示すように、雌部２２のループに凸板状の雄部２１を通し入れることにより、部材P，Q同士は一体に結合されて間隔保持板１２が出来上がる。このように間隔保持板１２は分割されていて必要なときに一体化できるので上記の問題を解消できる。
【００３７】
以上本発明の実施例について図面をもとに説明したが、本発明の技術思想を逸脱しない範囲において、図示した構造、形に限定することなく、上記実施例を適宜変更して実施することは可能である。
【図面の簡単な説明】
【００３８】
【図１】本発明のリニューアルキットを施工した照明器具の構成を示す断面図である。
【図２】一実施例の照明器具用リニューアルキットの構成要素である灯具を説明するための図である。
【図３】一実施例の照明器具用リニューアルキットの構成要素であるユニット部を説明するための図である。
【図４】別の実施例による間隔保持板を構成する部材を示す平面図である。
【図５】図４の部材同士を一体化するときの様子を示す図である。
【図６】直管型ランプ用照明器具の一般的な構成例を示す図である。
【符号の説明】
【００３９】
１    本体
２    電装部品
３    ソケット
４    支持板
５    反射板
５ａ    穴
１１    灯具
１２    間隔保持板
１２ａ    ソケット取付用穴
１２ｂ    ネジ通し穴
１３    両面テープ
１４    ユニット部
１５    台座
１６    端子台
１７    安定器
１８    コネクタ
１９    直管形ランプ
２０    ネジ
２１    雄部
２２    雌部
【図１】
0005505950.tif 000002
【図２】
0005505950.tif 000003
【図３】
0005505950.tif 000004
【図４】
0005505950.tif 000005
【図５】
0005505950.tif 000006
【図６】
0005505950.tif 000007